(57)【要約】【課題】手軽にタッチパネルを倒すことができ、且つ、使用時にタッチパネルが倒れることを防止する。【解決手段】タッチパネル固定構造５は、タッチパネル１側の第１支持部材１０と、制御ボックス２側の第２支持部材２０とから構成される。第２支持部材２０には、段付きネジ２１が、第１支持部材１０の第１スリット１１を通して取り付けられ、ローレットネジ２２が、第１支持部材１０の第２スリット１２を通して取り付けられる。第２スリット１２は、段付きネジ２１を回転軸にして第１支持部材１０を回動させてタッチパネルの角度を変更可能なように、ローレットネジ２２がスライドできる円弧状スリット部１２１と、タッチパネルが特定の角度を成した状態で当該タッチパネルを後方へスライド可能なように、ローレットネジ２２がスライドできるスライド用スリット部１２２とを有する。【選択図】図４
2016143209.tif 000002
【特許請求の範囲】
【請求項１】
タッチパネルに配設される第１支持部材と、
前記タッチパネルの設置台に配設される第２支持部材と、
前記第１支持部材および前記第２支持部材のうちの一方に設けられた第１スリット、および他方に設けられ前記第１スリットに挿入される第１支軸と、
前記第１支持部材および前記第２支持部材のうちの一方に設けられた第２スリット、および他方に設けられ前記第２スリットに挿入される第２支軸と、
を備え、
前記第２スリットは、
前記第１スリットに挿入された前記第１支軸を回転軸にして前記第１支持部材を回動させることで前記設置台に対する前記タッチパネルの角度を変更可能なように、前記第２支軸がスライドできる円弧状の第１部分と、
前記第１部分から延び、前記タッチパネルが前記設置台に対して特定の角度を成す状態になるまで前記タッチパネルを回動させた後、前記タッチパネルを後方へスライド可能なように、前記第２支軸がスライドできる第２部分とを有する
ことを特徴とするタッチパネルの固定構造。
【請求項２】
前記第１スリットの形状は、前記第２スリットの前記第２部分と平行に延びた形状である
請求項１に記載のタッチパネルの固定構造。
【請求項３】
前記第２スリットは、前記第２部分を複数箇所に有している
請求項１または請求項２に記載のタッチパネルの固定構造。
【請求項４】
前記第１スリットの形状は、前記第２スリットの複数の前記第２部分のそれぞれと平行に延びた部分を含む形状である
請求項３に記載のタッチパネルの固定構造。
【請求項５】
請求項１から請求項４のいずれか一項に記載のタッチパネルの固定構造と、
前記固定構造を用いて連結されたタッチパネルおよび設置台と、
を備えるタッチパネル装置。
【発明の詳細な説明】
【技術分野】
【０００１】
本発明は、タッチパネルの固定構造およびそれを備えるタッチパネル装置に関する。
【背景技術】
【０００２】
表示手段および入力手段としてタッチパネルを備える装置（タッチパネル装置）としては、例えば写真プリント受付端末などがある。写真プリント受付端末の構成としては、写真の選択画面などが表示される表示部を有するタッチパネルが、制御ボックスや写真プリンターを備える筐体の上に設置されたものが一般的である（例えば下記の非特許文献１）。
【０００３】
非特許文献１に開示されている写真プリント受付端末では、タッチパネルは、筐体に対する角度を変更できるように回動自在に取り付けられている。写真プリント受付端末の使用時には、タッチパネルを立てた状態で、タッチパネルと筐体との間に設けられたステイをノブスクリューで固定することで、タッチパネルの角度が固定される。また非使用時には、上記のノブスクリューを緩めてタッチパネルを後方に倒すことで、写真プリント受付端末をコンパクトに畳むことができる。
【０００４】
また、下記の特許文献１には、表示部を支持するスタンドを表示部の裏側へ回動させ、さらに、そのスタンドを上方へスライドさせることによって、スタンドが表示部の裏側に完全に隠れるようにしてコンパクト化できる表示装置が開示されている。
【先行技術文献】
【特許文献】
【０００５】
【特許文献１】特開２０１２−２４７６７５号公報
【非特許文献】
【０００６】
【非特許文献１】富士フイルム“クイックプリントステーション：機能・特徴”、［online］、［平成２７年１月９日検索］、インターネット＜ＵＲＬ：http://fujifilm.jp/business/photo/digital_lab/print_system/quickprintstation/feature.html＞
【発明の概要】
【発明が解決しようとする課題】
【０００７】
特許文献１の表示装置は、スタンドを表示部の裏側へ回動させるときに工具を使用してネジを外す必要があり、手軽に折り畳みできる構成ではない。
【０００８】
非特許文献１の写真プリント受付端末は、手で回すことができるノブスクリューを締めることでタッチパネルの角度が固定されるため、手軽にタッチパネルを倒して折り畳みできる構成ではある。しかし、使用時にノブスクリューが緩んでしまうと、ユーザーがタッチパネルを操作する力によってタッチパネルが倒れるおそれがある。例えば、タッチパネルと筐体とをトルクヒンジを用いて結合すれば、タッチパネルが倒れることを防止できるが、コスト高となる。
【０００９】
また、非特許文献１の写真プリント受付端末でも、輸送時の梱包サイズを小さくするためにタッチパネルを完全に倒す場合には、タッチパネルおよび筐体に設けられたステイを工具を使って取り外す必要がある。
【００１０】
本発明は以上のような課題を解決するためになされたものであり、手軽にタッチパネルを倒すことができ、且つ、使用時にタッチパネルが倒れることを防止できるタッチパネルの固定構造およびタッチパネル装置を提供することを目的とする。
【課題を解決するための手段】
【００１１】
本発明に係るタッチパネルの固定構造は、タッチパネルに配設される第１支持部材と、前記タッチパネルの設置台に配設される第２支持部材と、前記第１支持部材および前記第２支持部材のうちの一方に設けられた第１スリット、および他方に設けられ前記第１スリットに挿入される第１支軸と、前記第１支持部材および前記第２支持部材のうちの一方に設けられた第２スリット、および他方に設けられ前記第２スリットに挿入される第２支軸と、を備え、前記第２スリットは、前記第１スリットに挿入された前記第１支軸を回転軸にして前記第１支持部材を回動させることで前記設置台に対する前記タッチパネルの角度を変更可能なように、前記第２支軸がスライドできる円弧状の第１部分と、前記第１部分から延び、前記タッチパネルが前記設置台に対して特定の角度を成す状態になるまで前記タッチパネルを回動させた後、前記タッチパネルを後方へスライド可能なように、前記第２支軸がスライドできる第２部分とを有する。
【発明の効果】
【００１２】
本発明によれば、タッチパネルを後方へスライドした状態では、第２スリットの形状によってタッチパネルが後方へ倒れることが防止される。そのため、ねじ等を固く締め付けて固定する必要がない。また、タッチパネルを前方へスライドさせれば、容易にタッチパネルを倒すことができる。よって、タッチパネルを倒すことによる梱包サイズの小型化および梱包・設置作業の容易化、並びに、使用時のタッチパネルの倒れ防止を実現することができる。
【図面の簡単な説明】
【００１３】
【図１】実施の形態１に係る写真プリント受付端末の斜め前方から見た斜視図である。
【図２】実施の形態１に係る写真プリント受付端末の側面図である。
【図３】実施の形態１に係る写真プリント受付端末のタッチパネルおよび制御ボックスを斜め後方から見た斜視図である。
【図４】実施の形態１に係る写真プリント受付端末のタッチパネル固定構造を示す図である。
【図５】実施の形態１に係る写真プリント受付端末におけるタッチパネルの収納方法を説明するための図である。
【図６】実施の形態１に係る写真プリント受付端末におけるタッチパネルの収納方法を説明するための図である。
【図７】実施の形態２に係る写真プリント受付端末のタッチパネル固定構造を示す図である。
【発明を実施するための形態】
【００１４】
＜実施の形態１＞
図１および図２に、実施の形態１に係るタッチパネル装置である写真プリント受付端末の構成を示す。図１は、当該写真プリント受付端末を斜め前方から見た斜視図であり、図２は、当該写真プリント受付端末の側面図である。
【００１５】
実施の形態１に係る写真プリント受付端末は、タッチパネル１、制御ボックス２および写真プリンター３を備えている。タッチパネル１は、写真の選択画面などの画像を表示する表示部としての機能と、ユーザーによる操作を受け付ける操作部としての機能とを兼ね備える表示・操作部１ａを有するタブレット型装置である。写真プリンター３は、ユーザーが選択した写真を印刷する印刷装置である。制御ボックス２は、タッチパネル１および写真プリンター３の動作を制御するコンピュータを内蔵している。
【００１６】
図１および図２のように、制御ボックス２は写真プリンター３の上に搭載され、タッチパネル１は制御ボックス２の上に設置される。すなわち、制御ボックス２はタッチパネル１の設置台としての役割を果たしている。また、タッチパネル１と制御ボックス２は、タッチパネル固定構造５を用いて結合されている。
【００１７】
図３および図４は、タッチパネル固定構造５の構成を示す図である。図３は、タッチパネル１および制御ボックス２を斜め後方から見た斜視図であり、図４はその右側面図である。タッチパネル固定構造５は、タッチパネル１の左右両端に設けられている。右側のタッチパネル固定構造５と左側のタッチパネル固定構造５は、形状が互いに対称であるが、基本的に同じ構成であるので、図４以降の図では、片方（右側）のタッチパネル固定構造５のみを示す。
【００１８】
タッチパネル固定構造５は、タッチパネル１に配設される第１支持部材１０（アングル板金）と、制御ボックス２に配設される第２支持部材２０（アングル保持板金）とから構成される。タッチパネル１側の第１支持部材１０には、第１スリット１１および第２スリット１２が設けられている。制御ボックス２側の第２支持部材２０には、２つのねじ穴が設けられている。
【００１９】
制御ボックス２に設けられた２つのねじ穴のうち、片方のねじ穴には、段付きネジ２１が第１支持部材１０の第１スリット１１を通して取り付けられる。もう片方のねじ穴には、ローレットネジ２２が、第１支持部材１０の第２スリット１２を通して取り付けられる。第１スリット１１に挿入された段付きネジ２１は、タッチパネル１に取り付けられた第１支持部材１０を支える第１支軸として機能し、第２スリット１２に挿入されたローレットネジ２２は、同じくタッチパネル１を支える第２支軸として機能する。
【００２０】
図４のように、第１スリット１１は、段付きネジ２１がスライドできる程度の幅を有するライン状の形状を有している。第２スリット１２は、ローレットネジ２２がスライドできる程度の幅を有し、円弧状の部分（第１部分）である円弧状スリット部１２１と、円弧状スリット部１２１から延びるライン状の部分（第２部分）であるスライド用スリット部１２２とを含む形状を有している。
【００２１】
第２スリット１２の円弧状スリット部１２１は、第１スリット１１に挿入された段付きネジ２１（第１支軸）を回転軸にして第１支持部材１０を回動可能なように、ローレットネジ２２（第２支軸）がスライドできるような形状となっている。そのように第１支持部材１０を回動させると、第１支持部材１０に取り付けられたタッチパネル１が回動し、タッチパネル１が制御ボックス２に対して成す角度を変更できる。
【００２２】
また、第２スリット１２のスライド用スリット部１２２は、第１スリット１１に対して平行に延びている。よって、段付きネジ２１（第１支軸）を第１スリット１１に沿ってスライドさせながら、ローレットネジ２２（第２支軸）をスライド用スリット部１２２に沿ってスライドさせると、第１支持部材１０に取り付けられたタッチパネル１を一定方向へスライドさせることができる。
【００２３】
第１スリット１１および第２スリット１２の形状は、タッチパネル１を回動させてタッチパネル１と制御ボックス２が特定の角度を成すようにした状態で、当該タッチパネル１を後方へスライド可能なように設計されている。本実施の形態において、第２スリット１２の形状は、スライド用スリット部１２２が、円弧状スリット部１２１からその円弧の内側方向へ延びるような形状となっている。また、第１スリット１１は、第２スリット１２のスライド用スリット部１２２と平行に延び、スライド用スリット部１２２と同等の長さを有する形状となっている。
【００２４】
ここで、制御ボックス２の天板には、第２支持部材２０が突出するスリット２ａが設けられる。このスリット２ａには、第１支持部材１０を第２支持部材２０に対して回動させたときに、第１支持部材１０の一部が入り込む。つまり、スリット２ａは、第１支持部材１０を第２支持部材２０に対して回動させたときに、その回動に制御ボックス２の天板が干渉しないようする役割も果たしている。よって、スリット２ａの幅は、第１支持部材１０の板厚と第２支持部材２０の板厚との和に、第１支持部材１０を回動させるために必要なギャップを加えた値に設定される。また、スリット２ａの長さは、第１支持部材１０の回動に干渉しない寸法に設定される。
【００２５】
写真プリント受付端末を使用時の状態にするときは、まず、ローレットネジ２２を緩め、タッチパネル１を回動させて、第２スリット１２のスライド用スリット部１２２の下端がローレットネジ２２に当接するまでタッチパネル１を起こした状態にする。次に、図４のようにスライド用スリット部１２２の前方端部がローレットネジ２２に当接するまで（または、第１スリット１１の前方端部が段付きネジ２１に当接するまで）、タッチパネル１を後方にスライドさせる。そして、ローレットネジ２２を手で締める。それにより、タッチパネル１の位置および角度が図４の状態で固定される。なお、図３のようにローレットネジ２２のヘッドに溝がある場合、コインやドライバーを用いてローレットネジ２２を締めることもできる。
【００２６】
図４のように、ローレットネジ２２がスライド用スリット部１２２内にある状態では、第１支持部材１０は回動することができない。また、スライド用スリット部１２２の前方端部がローレットネジ２２に当接した状態（または、第１スリット１１の前方端部が段付きネジ２１に当接した状態）では、第１支持部材１０はそれ以上後方へスライドすることができない。従って、写真プリント受付端末の使用時に図４の状態にすることで、ローレットネジ２２が緩んだ場合や、ユーザーの操作によってタッチパネル１に加わる力Ｆが過大であった場合でも、タッチパネル１が後方へずれたり倒れたりすることを防止できる。
【００２７】
また、図４の状態から、輸送などのためにタッチパネル１を折り畳んで写真プリント受付端末をコンパクト化するときは、まず、ローレットネジ２２を緩めて、図５のようにローレットネジ２２が第２スリット１２の円弧状スリット部１２１内に位置するように、タッチパネル１を前方（図５の方向Ｍ）へスライドさせ、タッチパネル１を回動可能な状態にする。本実施の形態のように、スライド用スリット部１２２の後方端部が円弧状スリット部１２１上に位置する場合、この位置合わせは、ローレットネジ２２がスライド用スリット部１２２の後方端部に当接するまでタッチパネル１を前方にスライドさせるだけでよく、容易に行うことができる。
【００２８】
タッチパネル１を前方へスライドさせた後、当該タッチパネル１を後方へ回動させて、図６のように水平に倒す。本実施の形態では、タッチパネル１が水平になるまで倒すと、第１支持部材１０の突起部１３が制御ボックス２の天板の上面に当接すると共に、突起部１４が制御ボックス２の天板の下面に当接し、タッチパネル１の回動が止まるように構成されている。そして、ローレットネジ２２を締め直し、タッチパネル１が水平に倒れた状態で固定する。その結果、写真プリント受付端末の高さは、ほぼタッチパネル１の高さ（図６の寸法Ｈ）だけ、使用時よりも小さくなる。
【００２９】
本実施の形態によれば、使用時の状態でローレットネジ２２が緩んでしまっても、第２スリット１２の形状によってタッチパネル１が後方へずれたり倒れたりすることが防止される。そのため、ローレットネジ２２に高い締め付け強度は要求されず、ローレットネジ２２を締めたり緩めたりする作業は手作業でよい。従って、タッチパネル１を倒すことによる写真プリント受付端末の折り畳みを手軽に行うことができるという効果も得られる。よって、梱包サイズの小型化、梱包・設置作業の容易化、および、使用時のタッチパネルの倒れ防止を実現することができる。
【００３０】
＜実施の形態２＞
図７は、実施の形態２に係るタッチパネル装置である写真プリント受付端末のタッチパネル固定構造５を示す図である。実施の形態２のタッチパネル装置は、第１支持部材１０に設けられる第１スリット１１および第２スリット１２の形状が、実施の形態１とは異なっている。その他の構成は、実施の形態１と同様であるので、ここでの説明は省略する。
【００３１】
図７のように、実施の形態２では、第１支持部材１０の第２スリット１２が、２つのスライド用スリット部１２２ａ，１２２ｂを有している。すなわち、第２スリット１２は、円弧状スリット部１２１の下端部から延びるスライド用スリット部１２２ａと、円弧状スリット部１２１の途中から分岐したスライド用スリット部１２２ｂとを備えている。スライド用スリット部１２２ａ，１２２ｂは、それぞれ円弧状スリット部１２１からその円弧の内側方向へ延びている。
【００３２】
また、第１スリット１１の形状は、第１支持部材１０の２つのスライド用スリット部１２２ａ，１２２ｂのそれぞれと平行に延びた部分を有する形状となっている。つまり、第１スリット１１は、スライド用スリット部１２２ａに平行な部分１１ａと、スライド用スリット部１２２ｂに平行な部分１１ｂとを含む形状となっている。
【００３３】
実施の形態２によれば、写真プリント受付端末の使用時におけるタッチパネル１の角度を２段階で設定でき、そのそれぞれの角度においてタッチパネル１が後方に倒れることを防止できる。
【００３４】
また、本実施の形態では、図７のようにローレットネジ２２をスライド用スリット部１２２ｂ内にスライドさせたときに、制御ボックス２の天板に噛み合う切り欠き１５を、第１支持部材１０に設けている。それにより、ローレットネジ２２がスライド用スリット部１２２ｂ内に位置するとき、タッチパネル１の角度をより安定したものにできる。
【００３５】
図７では、第２スリット１２にスライド用スリット部を２つ設けた構成を示したが、３つ以上設けてもよい。その場合、第１スリット１１の形状も、複数のスライド用スリット部のそれぞれと平行に延びた部分を有する形状にするとよい。
【００３６】
実施の形態１，２では、タッチパネル側の第１支持部材に第１スリットおよび第２スリットを設け、設置台（制御ボックス）側の第２支持部材に第１スリットに挿入される第１支軸と第２スリットに挿入される第２支軸を配設した構成としたが、それらは第１支持部材と第２支持部材のどちら側に配設してもよい。すなわち、第１支持部材および第２支持部材のうちの一方に第１スリット、他方に第１支軸が配設されていればよく、同様に、第１支持部材および第２支持部材のうちの一方に第２スリット、他方に第２支軸が配設されていればよい。ただし、第１スリットの延在方向および第２スリットの形状（円弧状スリット部およびスライド用スリット部の位置関係やそれらの延在方向）は、タッチパネルを回動可能であり、且つ、タッチパネルを特定の角度（使用時の角度）にした状態で後方へスライド可能なように、適宜設計変更する必要がある。
【００３７】
また、実施の形態１，２では、タッチパネル装置の例として写真プリント受付端末を示したが、本発明に係るタッチパネル固定構造は、例えばパーソナルコンピュータやナビゲーション装置、ゲーム機など、タッチパネルとその設置台を備える様々なタッチパネル装置に広く適用可能である。
【００３８】
なお、本発明は、その発明の範囲内において、各実施の形態を自由に組み合わせたり、各実施の形態を適宜、変形、省略することが可能である。
【符号の説明】
【００３９】
１ａ  表示・操作部、１  タッチパネル、２  制御ボックス、２ａ  スリット、３  写真プリンター、５  タッチパネル固定構造、１０  第１支持部材、１１  第１スリット、１２  第２スリット、１２１  円弧状スリット部、１２２  スライド用スリット部、１３，１４  突起部、１５  切り欠き、２０  第２支持部材、２１  段付きネジ、２２  ローレットネジ。
【図１】
2016143209.tif 000003
【図２】
2016143209.tif 000004
【図３】
2016143209.tif 000005
【図４】
2016143209.tif 000006
【図５】
2016143209.tif 000007
【図６】
2016143209.tif 000008
【図７】
2016143209.tif 000009